(57)【要約】【課題】  本発明は、仕分け表示器間の配線に使用するケーブルを取り換えることなく、仕分け表示器の位置変更や増設を容易に行うことができ、取付け間隔の規制を緩和できる仕分け表示装置を提供することを目的とする。【解決手段】  複数の仕分け表示器１２と、これら仕分け表示器１２を取付ける表示器レール１１を備え、各仕分け表示器１２を表示器本体２０と裏蓋部２１により構成し、裏蓋部２１に第１コネクタ２３と第２コネクタ２４を互い違いに配置し、隣接する仕分け表示器１２間を、その長さを縮めた状態で２台の仕分け表示器１２が接触して取付けられる長さ以内とするカール式ケーブル３２により接続する。この構成によれば、隣接する仕分け表示器１２間の配線を２台の仕分け表示器１２内に収めることが可能となり、コネクタ２３，２４を使用しても、仕分け表示器１２を接触して取付けることができる。【選択図】      図６
2006248619.tif 000002
【特許請求の範囲】
【請求項１】
仕分け設備において、少なくとも仕分けする物品、仕分け位置、仕分けする物品の数量の一つを表示する複数の仕分け表示器と、これら仕分け表示器を取付ける表示器レールを備える仕分け表示装置であって、
前記各仕分け表示器を、少なくとも仕分けする物品、仕分け位置、仕分けする物品の数量の一つを表示する表示手段が設けられた表示器本体と、この表示器本体の裏蓋部とから形成し、
前記裏蓋部には、その一方側部に他方側部に向けて水平に第１コネクタを設け、その他方側部に一方側部に向けて水平に第２コネクタを設け、
前記表示器レールに前記仕分け表示器を取付け、隣接する前記仕分け表示器間の配線を前記第１コネクタと第２コネクタとの間を接続することにより行うこと
を特徴とする仕分け表示装置。
【請求項２】
前記第１コネクタと第２コネクタを、前記裏蓋部の上部と下部、または下部と上部に配置すること
を特徴とする請求項１に記載の仕分け表示装置。
【請求項３】
前記仕分け表示器用の配線を、カール式ケーブルにより形成し、前記カール式ケーブルの一方を、前記表示器レールに隣接して取付けられた一方の仕分け表示器の第１コネクタに接続し、前記カール式ケーブルの他方を、隣接する他方の仕分け表示器の第２コネクタに接続すること
を特徴とする請求項１または請求項２に記載の仕分け表示装置。
【請求項４】
前記カール式ケーブルの長さを、カールを縮めた状態で、２台の前記仕分け表示器が接近して取付けられる長さ以内とすること
を特徴とする請求項３に記載の仕分け表示装置。
【請求項５】
前記表示器レールを、断面コ字形状の長尺状取付け部材により構成し、
前記長尺状取付け部材の上下の水平面の先端にそれぞれ、前記仕分け表示器を取付ける突起部を長手方向に渡って設け、
前記裏蓋部の上辺に前記長手方向に渡って、前記長尺状取付け部材の上部水平面の突起部に掛かる上部取付部を設け、
前記表示器本体の下辺に前記長手方向に渡って、弾性体により上方に付勢され、前記長尺状取付け部材の下部水平面の突起部に掛かる下部取付部を設け、
前記長尺状取付け部材の上下の水平面先端に、前記上部取付部と下部取付部により前記仕分け表示器を取付け、前記長尺状取付け部材内に前記第１コネクタと第２コネクタを収納し、前記長尺状取付け部材内に前記仕分け表示器の配線を収納すること
を特徴とする請求項１〜請求項４のいずれか１項に記載の仕分け表示装置。
【請求項６】
前記表示器本体と裏蓋部間に防水パッキンを挟み、仕分け表示器内への水滴の侵入を防止する密封構造とすること
を特徴とする請求項１〜請求項５のいずれか１項に記載の仕分け表示装置。
【発明の詳細な説明】
【技術分野】
【０００１】
本発明は、仕分け設備において棚や台車に取付けられ、少なくとも仕分けする物品、仕分け位置、仕分けする物品の数量の一つを表示する複数の仕分け表示器と、これら仕分け表示器を取付ける表示器レールを備える仕分け表示装置に関するものである。
【背景技術】
【０００２】
従来の上記仕分け表示装置の一例として、仕分け表示器を表示器レールに対して簡単に取付け、および取外しできる仕分け表示装置が特許文献１に開示されている。
この文献には、仕分け表示器のケースに一対のくぼみを設け、これらくぼみに嵌め込むための対応する突起部を有する特異な断面形状のブラケット（表示器レール）を棚の固定フレームに取付け、このようなケースのくぼみとブラケットの突起部とをスナップ止めの如く嵌め込むことによって簡単に仕分け表示器が取付けられ、且つ取外しも簡単としている構成が開示されている。このように、簡単に機器が取付けられることによって多数の機器の取付け施工に時間がかからず、取外しも簡単なことによって機器の故障時の取換えも容易であり、作業効率が良いという効果を有している。またこの文献１には、ブラケットと機器のケースとの間の空隙を利用して電気的配線類（信号ラインと電源ライン）を設けることが開示されている。
【０００３】
また複数の仕分け表示器を電気的に接続する際に適用される、従来の配線方法の例を図８（ａ）（ｂ）（ｃ）に示す。
図８（ａ）に示す配線方法では、複数のコネクタ６０がアセンブルされた、信号ラインと電源ラインを形成するケーブル６１が敷設され、コネクタ６０により複数の仕分け表示器６２が並列に接続され、ケーブル６１の一端に仕分け表示コントローラ６３に接続される。
【０００４】
図８（ｂ）に示す配線方法では、例えば、特許文献２に開示されているように、両端にコネクタ６５がアセンブルされた、信号ラインと電源ラインを形成するケーブル６６により、仕分け表示器６４が直列に接続され、一端の仕分け表示器６４が仕分け表示コントローラ６７に接続される。
【０００５】
図８（ｃ）に示す配線方法では、例えば、特許文献３に開示されているように、仕分け表示コントローラ６８に接続された、信号ライン６９と電源ライン７０を形成するレール７１が敷設され、レール６４にそれぞれ仕分け表示器７２が並列に接続される。
【特許文献１】実公平２−２７６８２号公報
【特許文献２】実開昭６２−１９１７０６号公報
【特許文献３】特開平１０−１７７３５３号公報
【発明の開示】
【発明が解決しようとする課題】
【０００６】
従来の仕分け表示器は、ブラケットへの取付け、および取外しが容易なことから、取付け位置の変更を容易に行うことはできる。
しかし、図８（ａ）に示す配線方法を適用すると、仕分け表示器６２を追加する場合、ケーブル６１を交換する必要がある。また取付け位置の変更を行う場合、ケーブル６１のコネクタ位置を変更する必要があり、取付け位置の変更を簡単に行うことができない。
【０００７】
また図８（ｂ）に示す配線方法を適用すると、構造上、各仕分け表示器６４に対するケーブル６６の接続が仕分け表示器６４の側面となることから、ケーブル６６のコネクタ６５が接続される仕分け表示器６４のコネクタ位置により、仕分け表示器６４を近付けて取付ける間隔に制限があり、あまりに接近すると接続が困難になる。
【０００８】
また図８（ｃ）に示す配線方法を適用すると、レール７１の信号ライン６９と電源ライン７０が剥き出しになるため、保護する保護カバーが必要となり、仕分け表示器７２の位置を変更したり追加したりする毎に保護カバーを再作成しなければならないという問題が発生する。
【０００９】
そこで、本発明は、仕分け表示器間の配線に使用するケーブルを取り換えることなく、また保護カバーの再作成が必要なく、仕分け表示器の位置変更や増設を容易に行うことができ、取付け間隔の規制を緩和できる仕分け表示装置を提供することを目的としたものである。
【課題を解決するための手段】
【００１０】
前述した目的を達成するために、本発明のうち請求項１に記載の発明は、仕分け設備において、少なくとも仕分けする物品、仕分け位置、仕分けする物品の数量の一つを表示する複数の仕分け表示器と、これら仕分け表示器を取付ける表示器レールを備える仕分け表示装置であって、前記各仕分け表示器を、少なくとも仕分けする物品、仕分け位置、仕分けする物品の数量の一つを表示する表示手段が設けられた表示器本体と、この表示器本体の裏蓋部とから形成し、前記裏蓋部には、その一方側部に他方側部に向けて水平に第１コネクタを設け、その他方側部に一方側部に向けて水平に第２コネクタを設け、前記表示器レールに前記仕分け表示器を取付け、隣接する前記仕分け表示器間の配線を前記第１コネクタと第２コネクタとの間を接続することにより行うことを特徴とするものである。
【００１１】
上記構成によれば、第１コネクタが裏蓋部に一方側部に他方側部に向けて水平に配置され、第２コネクタが裏蓋部に他方側部に一方側部に向けて水平に配置されることにより、第１コネクタと第２コネクタとの間を接続する隣接する仕分け表示器間の配線を仕分け表示器内に収めることが可能となり、よってコネクタを使用しても、仕分け表示器を接近して取付けることが可能となり、取付け間隔の規制が緩和される。またコネクタの使用により配線が容易となり、作業効率が改善される。
【００１２】
また請求項２に記載の発明は、請求項１に記載の発明であって、前記第１コネクタと第２コネクタを、前記裏蓋部の上部と下部、または下部と上部に配置することを特徴とするものである。
【００１３】
上記構成によれば、裏蓋部に設けた第１コネクタと第２コネクタが、裏蓋部の上部と下部、または下部と上部に上下に分けて配置されることにより、仕分け表示器間の配線を上下に分けて仕分け表示器内に収めることが可能となり、前記配線の引廻しが容易になる。
【００１４】
また請求項３に記載の発明は、請求項１または請求項２に記載の発明であって、前記仕分け表示器用の配線を、カール式ケーブルにより形成し、前記カール式ケーブルの一方を、前記表示器レールに隣接して取付けられた一方の仕分け表示器の第１コネクタに接続し、前記カール式ケーブルの他方を、隣接する他方の仕分け表示器の第２コネクタに接続することを特徴とするものである。
【００１５】
上記構成によれば、仕分け表示器用の配線がカール式ケーブルとされることにより、仕分け表示器の位置を移動させてもケーブルが伸びることで自在に対応され、取付け位置の変更が容易となり、取付け間隔の規制が緩和される。また新たなケーブルを用意する必要がなくなり、作業効率が改善される。
【００１６】
また請求項４に記載の発明は、請求項３に記載の発明であって、前記カール式ケーブルの長さを、カールを縮めた状態で、２台の前記仕分け表示器が接近して取付けられる長さ以内とすることを特徴とするものである。
【００１７】
上記構成によれば、カール式ケーブルの長さを、２台の仕分け表示器が接近して取付けられる長さ以内とすることにより、仕分け表示器を接触させて表示器レールに取付けることができ、仕分け表示器の表示器レールにおける位置の変更の規制が緩和される。
【００１８】
また請求項５に記載の発明は、請求項１〜請求項４のいずれか１項に記載の発明であって、前記表示器レールを、断面コ字形状の長尺状取付け部材により構成し、前記長尺状取付け部材の上下の水平面の先端にそれぞれ、前記仕分け表示器を取付ける突起部を長手方向に渡って設け、前記裏蓋部の上辺に前記長手方向に渡って、前記長尺状取付け部材の上部水平面の突起部に掛かる上部取付部を設け、前記表示器本体の下辺に前記長手方向に渡って、弾性体により上方に付勢され、前記長尺状取付け部材の下部水平面の突起部に掛かる下部取付部を設け、前記長尺状取付け部材の上下の水平面先端に、前記上部取付部と下部取付部により前記仕分け表示器を取付け、前記長尺状取付け部材内に前記第１コネクタと第２コネクタを収納し、前記長尺状取付け部材内に前記仕分け表示器の配線を収納することを特徴とするものである。
【００１９】
上記構成によれば、前記長尺状取付け部材の上部水平面の突起部へ、前記裏蓋部の上部取付部を掛け、前記長尺状取付け部材の下部水平面の突起部へ、前記表示器本体の下部取付部を掛けることにより、簡単に仕分け表示装置は表示器レールに取付けられ、また簡単に取外しができ、位置の変更が自在とされる。このとき下部取付部が弾性体により上方に付勢されることにより、仕分け表示器が表示器レールより外れたり位置がずれたりすることが防止される。また仕分け表示器用の配線は長尺状取付け部材内に収納され、長尺状取付け部材は配線ダクト（配線受け手段）として使用される。
【００２０】
また請求項６に記載の発明は、請求項１〜請求項５のいずれか１項に記載の発明であって、前記表示器本体と裏蓋部間に防水パッキンを挟み、仕分け表示器内への水滴の侵入を防止する密封構造とすることを特徴とするものである。
【００２１】
上記構成によれば、仕分け表示器を密封構造とすることで、水滴の侵入が防止され、表示器本体の配線のショートや錆の発生が防止される。
【発明の効果】
【００２２】
本発明の仕分け表示装置は、仕分け表示器間の配線に使用するケーブルを取り換えることなく、また保護カバーの再作成が必要なく、仕分け表示器の位置変更や増設を容易に行うことができ、取付け間隔の規制を緩和できる、という効果を有している。
【発明を実施するための最良の形態】
【００２３】
以下、本発明の実施の形態を図面に基づいて説明する。
図１は本発明の実施の形態における仕分け表示装置を備えたピッキング棚の斜視図である。
【００２４】
ピッキング棚１は、流動棚から形成され、前方に傾斜している複数段（図では３段）のラック３を有し、各ラック３にはそれぞれ、物品４を収納した容器５を格納する複数の区画収納空間６が形成され、各区画収納空間６毎にローラコンベヤ７が設けられ、ローラコンベヤ７の前端にはストッパ８が設けられている。この構成により、ストッパ８により係止された容器５から必要な物品４を取り出し、容器５が空になればその容器５を除去することにより、次の容器５が前面にでてくる。またローラコンベヤ７は、各ラック３毎にローラピッチが変えてある。
【００２５】
また仕分け表示装置は、表示器レール１１と、表示器レール１１に取付けられる複数の仕分け表示器１２を備えており、ピッキング棚１のラック３毎に、その前面の水平フレームに前記表示器レール１１が敷設され、各区画収納空間６毎に、表示器レール１１上に前記仕分け表示器１２が移動自在に取付けられている。また仕分け表示器１２の表面には、少なくとも仕分けする物品、仕分け位置、仕分けする物品の数量の一つを表示する表示手段の一例として、ピックアップする物品４の数量を示す３桁のディジタル表示器１３と、ピッキングの有無を表示しピッキング作業終了時に操作する照光式押釦スイッチ１４が設けられている。
【００２６】
図２に示すように、表示器レール１１は、断面コ字形状の長尺状取付け部材１６により構成され、長尺状取付け部材１６の上下の水平面の先端にそれぞれ、仕分け表示器１２を取付ける突起部１６ａが長手方向に渡って設けられている。また開口部１６ｂを前方に向けて、ラック３の前面の水平フレームに取付けられている。
【００２７】
また各仕分け表示器１２は、図２および図３に示すように、上記ディジタル表示器１３、照光式押釦スイッチ１４、コントローラ４５（図７）等が取付けられた基板１８、およびこの基板１８を収納し、ディジタル表示器１３や照光式押釦スイッチ１４の取付け窓１３Ａ，１４Ａ等が設けられたケース１９から形成される四角で箱状の表示器本体２０と、この表示器本体２０（ケース１９）の裏面を覆う裏蓋部２１と、表示器本体２０と裏蓋部２１間に挟まれる防水パッキン（防滴対応防水パッキンスポンジ）２２Ａと、ケース１９の前面を覆う透明の防滴対応のメンブレン（薄膜）シート２２Ｂ等により構成され、防水パッキン２２Ａを挟んで表示器本体２０と裏蓋部２１を接合する（組立てる）こと、さらにメンブレンシート２２Ｂにより表示器本体２０の表面を覆うことにより、仕分け表示器１２は、仕分け表示器１２内への水滴の侵入を防止する密封構造とされている。またディジタル表示器１３の前面にウインドウ１３Ｂが取付けられ、照光式押釦スイッチ１４の前面には透明なボタンスペーサー１４Ｂが取付けられている。
【００２８】
前記裏蓋部２１には、図４に示すように、表面に、その上部一方側部（図では右上側部）に上部他方側部（図では左上側部）に向けて水平に第１コネクタ２３が設けられ、下部他方側部（図では左下側部）に下部一方側部（図では右下側部）に向けて水平に第２コネクタ２４が設けられている。また裏蓋部２１には、図３に示すように、各コネクタ２３，２４に対応した内部配線４１（図７）を通過させ、基板１９に接続するための配線口２３Ａ，２３Ｂが設けられている。なお、第１コネクタ２３と第２コネクタ２４の上下の配置は逆でもよく、また同じ高さレベルに配置することも可能である。
【００２９】
また図３および図４に示すように、裏蓋部２１の上辺中央部に前記長手方向に渡って、長尺状取付け部材１６の上部水平面の突起部１６ａに上方から掛かる上部フック（上部取付部の一例）２５が設けられている。また図３〜図５に示すように、ケース１９（表示器本体２０）の下辺中央部に前記長手方向に渡って、フックスプリング２６（弾性体の一例）により上方に付勢されるように一定の範囲で上下自在に支持され、長尺状取付け部材１６の下部水平面の突起部１６ａに下方から掛かる下部フック（下部取付部の一例）２７が設けられている。この構成により、表示器レール１１への仕分け表示器１２の取付けは、長尺状取付け部材１６の上部水平面の突起部１６ａへ、裏蓋部２１の上部フック２５を掛け、長尺状取付け部材１６の下部水平面の突起部１６ａへ、表示器本体２０の下部フック２７を掛けることにより、簡単に行われる。このとき下部フック２７がフックスプリング２６により上方に付勢されることにより、仕分け表示器１２が表示器レール１１より外れたり位置がずれたりすることが防止されている。またフックスプリング２６の付勢力に抗して下部フック２７を下へ押して開くことにより、仕分け表示器１２を表示器レール１１より簡単に取外しができ、位置の変更が自在とされる。また表示器レール１１への仕分け表示器１２の取付けにより、長尺状取付け部材１６内に第１コネクタ２３と第２コネクタ２４が収納される。
【００３０】
また、隣接する仕分け表示器１２間は、図３および図６に示すように、両端にコネクタ３１が取付けられたカール式ケーブル３２（仕分け表示器用の配線の一例）により接続されている。すなわち、カール式ケーブル３２の一方のコネクタ３１を、一方の仕分け表示器１２の第１コネクタ２３に接続し、カール式ケーブル３２の他方のコネクタ３１を、隣接する他方の仕分け表示器１２の第２コネクタ２４に接続している。このとき、第１コネクタ２３に接続されるカール式ケーブル３２と第２コネクタ２４に接続されるカール式ケーブル３２は、仕分け表示器１２の裏蓋部２１内では、上下に分けて配線される。また、カール式ケーブル３２の長さを、最もカールを縮めた状態で、２台の仕分け表示器１２が接触して（接近して）取付けられる長さ以内としており、また第１コネクタ２３と第２コネクタ２４とを互い違いに配置していることにより、仕分け表示器１２の裏面側はカール式ケーブル３２を格納できる構成とされている。またカール式ケーブル３２を使用することにより、仕分け表示器１２間の距離の変更を、ケーブル３２を取り換えることなく、可能としている。
【００３１】
またカール式ケーブル３２は、表示器レール１１（長尺状取付け部材１６）内に収納され、図７に示すように、２本の信号ライン３４と２本の電源ライン３５より構成されている。
【００３２】
図７に示すように、仕分け表示器１２はカール式ケーブル３２により直列に接続され、始端の仕分け表示器１２に表示コントローラ（高速インターフェイス）３６が接続されており、表示コントローラ３６よりカール式ケーブル３２の電源ライン３５を介して各仕分け表示器１２に電力が供給され、また信号ライン３４を介して信号の授受が行われる。各仕分け表示器１２の表示器本体２０の基板１８には、２本のコネクタ２３，２４および内部配線４１間を接続する配線（信号ラインと電源ライン）４２が設けられ、信号ライン３４に接続される入出力インターフェイス部４３を介して制御部４４により表示コントローラ３６との間で、各仕分け表示器１２毎に割り当てられた表示器ナンバーを付すことにより信号の授受・確認が行われ、ディジタル表示器１３への表示信号と照光式押釦スイッチ１４のランプの表示信号、スイッチの押し操作信号が受け渡しされる。前記入出力インターフェイス部４３と制御部４４によりコントローラ４５が形成されており、基板１８上に実装されている。
【００３３】
上記回路構成により、ピッキング作業に際して、表示コントローラ３６からの指示による仕分け表示器１２の照光式押釦スイッチ１４のランプ表示により、区画収納空間６におけるピッキング作業有りが表示され、またディジタル表示器１３へピッキングする物品４の数量が表示される。ピッキング作業者は、走行経路ｉに沿って移動しながらこれら表示にしたがってピッキング作業を実行して、ピッキングした物品を、例えば、図１に示すカゴ車Ｋに投入し、物品４の投入が終了すると、照光式押釦スイッチ１４を押し操作して区画収納空間６におけるピッキング作業を終了する。
【００３４】
以上のように本実施の形態によれば、裏蓋部２１に、一方側部に他方側部に向けて水平に第１コネクタ２３が設けられ、他方側部に一方側部に向けて水平に第２コネクタ２４が設けられていることにより、隣接する仕分け表示器１２間の配線を２台の仕分け表示器１２内に収めることが可能となり、さらに最も縮めたカール式ケーブル３２の長さを２台の仕分け表示器１２が接触して取付けられる長さ以内とされていることにより、コネクタ２３，２４を使用しても、仕分け表示器１２を接触して取付けることができ、さらに仕分け表示器用の配線にカール式ケーブル３２が使用されることにより、仕分け表示器３２間の位置が離れてもケーブル３２が伸びることで自在に対応でき、ケーブル３２を取り換えなくても仕分け表示器１２を取付ける間隔の規制を大幅に緩和することができる。したがって、仕分け表示器１２の運用の幅を拡大でき、区画収納空間６が狭いとき、または小さな容器５が多く並ぶようなときでも対応でき、仕分け表示器１２の位置変更や増設を容易に行うことができる。また従来の保護カバーが不要であり、さらにコネクタ２３，２４の使用により配線が容易となり、作業効率を改善することができる。
【００３５】
また本実施の形態によれば、裏蓋部２１に設けた第１コネクタ２３と第２コネクタ２４を上下に分けて配置されることにより、第１コネクタ２３に接続されるカール式ケーブル３２と第２コネクタ２４に接続されるカール式ケーブル３２は、仕分け表示器１２（裏蓋部２１）内では、上下に分けて配線されることにより、カール式ケーブル３２を仕分け表示器１２内に収めることが可能になるとともに、カール式ケーブル３２の引廻しを容易にできる。
【００３６】
また本実施の形態によれば、カール式ケーブル３２は表示器レール１１（長尺状取付け部材１６）内に収納され、表示器レール１１は配線ダクトとして使用されることにより、ケーブル３２が垂れたり、他の配線と接触することを避けることができる。
【００３７】
また本実施の形態によれば、長尺状取付け部材１６の上部水平面の突起部１６ａへ、裏蓋部２１の上部フック２５を掛け、長尺状取付け部材１６の下部水平面の突起部１６ａへ、表示器本体２０の下部フック２７を掛けることにより、簡単に仕分け表示器１２を表示器レール１１に取付けることができる。このとき下部フック２７がフックスプリング２６により上方に付勢されることにより、仕分け表示器１２が表示器レール１１より外れることを防止でき、しっかりと取付けることができる。また下部フック２７を開くことにより、簡単に仕分け表示器１２を表示器レール１１から取外すことができ、設置位置の変更を簡単に行うことができる。また工具を使用せずに、表示器レール１１の中間からも、仕分け表示器１２の着脱を簡単に行うことができることから、仕分け表示器１２の増設・取り換えを簡単に行うことができ、メンテナンスを簡単に行うことができる。また仕分け表示器１２は、簡単に製造でき、また部品点数が少ないことから組立てが容易であり、作業性に優れている。また仕分け表示器１２の増設に際して、カール式ケーブル３２で簡単に接続することができる。
【００３８】
また本実施の形態によれば、仕分け表示器１２は水滴の侵入を防止する密封構造とされることで、水滴の表示器本体２０内への侵入を防止でき、表示器本体２０の配線のショートや錆の発生を防止することができる。
【００３９】
なお、本実施の形態では、ピッキング棚１に仕分け表示装置を設置しているが、棚に限ることはなく、区切られた空間を有する台車等に設置することができる。
また本実施の形態では、仕分け表示器１２間は、表示器レール１１の内方が見えた状態になっているが、化粧カバー（保護カバーではない）を、仕分け表示器１２間に取付け、表示器レール１１の内方を見えなくし、美観を確保するようにすることもできる。
【００４０】
また本実施の形態では、表示手段の一例として、ピックアップする物品４の数量を示す３桁のディジタル表示器１３と、ピッキングの有無を表示しピッキング作業終了時に操作する照光式押釦スイッチ１４が設けられているが、これら表示器１３，１４に限ることはなく、少なくとも仕分けする物品、仕分け位置、仕分けする物品の数量の一つを表示できればよい。
【００４１】
また本実施の形態では、ピッキング棚１を流動棚としているが、必ずしも流動棚とすることはなく、単なる固定棚であってもよい。
また本実施の形態では、仕分け設備をピッキング設備としているが、アソート設備とすることも可能である。このとき、各区画収納空間６が、例えば、各店舗に対応して指定され、カゴ車Ｋに積載した物品４を仕分け表示器１２の表示にしたがって、各区画収納空間６の店舗別の容器５に仕分ける（投入する）。
【００４２】
また本実施の形態では、ピッキング棚１は片面に仕分け表示器１２を設けているが、ピッキング棚を対向させて形成し、両側の区画収納空間６からピッキング作業を実行するようにしてもよい、このとき両側の区画収納空間６にそれぞれ設けられた仕分け表示器１２の表示にしたがってピッキング作業を実行する。
【００４３】
また本実施の形態では、表示器本体２０を四角で箱形状としているが、このような形状に限ることはなく、たとえば、正面視、人間の目の形状の如く、上の円弧と下の円弧がつながったような形状であってもよい。
【図面の簡単な説明】
【００４４】
【図１】本発明の実施の形態における仕分け表示装置を備えたピッキング棚の斜視図である。
【図２】同仕分け表示装置の全体斜視図である。
【図３】同仕分け表示装置の仕分け表示器の分解斜視図である。
【図４】同仕分け表示装置の仕分け表示器の背面斜視図である。
【図５】同仕分け表示装置の仕分け表示器のケース裏面側分解斜視図である。
【図６】同仕分け表示装置の仕分け表示器の接続状態を示す図である。
【図７】同仕分け表示装置の回路構成図である。
【図８】従来の仕分け表示装置の配線方法の説明図である。
【符号の説明】
【００４５】
１    ピッキング棚
１１  表示器レール
１２  仕分け表示器
１３  ディジタル表示器
１４  照光式押釦スイッチ
１６  長尺支持部材
１８  基板
２０  表示器本体
２１  裏蓋部
２２Ａ  防水パッキン
２２Ｂ  メンブレンシート
２３  第１コネクタ
２４  第２コネクタ
２５  上部フック
２６  フックスプリング
２７  下部フック
３１  ケーブルのコネクタ
３２  カール式ケーブル
３６  表示コントローラ
【図１】
2006248619.tif 000003
【図２】
2006248619.tif 000004
【図３】
2006248619.tif 000005
【図４】
2006248619.tif 000006
【図５】
2006248619.tif 000007
【図６】
2006248619.tif 000008
【図７】
2006248619.tif 000009
【図８】
2006248619.tif 000010